(57)【要約】【課題】元の映像を分割して生成された複数の分割映像の情報を異なるチャンネルを介して受信し、分割映像を合成して元の映像を再現する場合に、チャンネル毎の同期信号のズレ量を容易に把握させることができる映像受信装置を提供する。【解決手段】映像受信装置（２００）は、複数の分割映像それぞれに対する映像信号を、それぞれの伝送路を介して受信する受信部（３０１〜３０４）と、各伝送路に対して、その伝送路を介して受信した映像信号に含まれる同期信号と、他の伝送路を介して受信した映像信号に含まれる同期信号とのズレ量を検出する同期信号検出部（６００）と、伝送路毎に、検出した同期信号のズレ量を示す情報を表示するための映像情報を生成する映像処理部（４００）とを備える。【選択図】図２
2018019284.tif 000002
【特許請求の範囲】
【請求項１】
元映像を分割して生成した複数の分割映像それぞれに対する映像信号を受信し、受信した複数の映像信号から前記元映像の映像信号を生成する映像受信装置であって、
前記複数の分割映像それぞれに対する映像信号を、それぞれの伝送路を介して受信する受信部と、
各伝送路に対して、その伝送路を介して受信した映像信号に含まれる同期信号と、他の伝送路を介して受信した映像信号に含まれる同期信号とのズレ量を検出する同期信号検出部と、
伝送路毎に、前記検出した同期信号のズレ量を示す情報を表示するための映像情報を生成する映像処理部と、
を備えた映像受信装置。
【請求項２】
前記同期信号は、垂直同期信号と水平同期信号を含む、請求項１記載の映像受信装置。
【請求項３】
前記同期信号のズレ量を示す情報は、テキスト情報である、請求項１記載の映像受信装置。
【請求項４】
前記同期信号のズレ量を示す情報は、同期信号のズレ量に応じて長さが変化するバー画像である、請求項１記載の映像受信装置。
【請求項５】
前記同期信号のズレ量を示す情報は、伝送路毎に、同期信号のズレ量に応じて表示位置が変化する画像である、請求項１記載の映像受信装置。
【請求項６】
前記映像処理部は、前記複数の分割映像それぞれに対する映像信号が示す映像を合成して前記元映像を示す映像を生成する、請求項１ないし５のいずれかに記載の映像受信装置。
【請求項７】
前記映像処理部において生成された映像情報を表示する表示デバイスをさらに備えた、請求項１ないし５のいずれかに記載の映像受信装置。
【請求項８】
前記元映像は４Ｋ映像であり、前記分割映像は前記元映像を４等分した画像である、請求項１ないし５のいずれかに記載の映像受信装置。
【発明の詳細な説明】
【技術分野】
【０００１】
本開示は、元映像を分割して生成された分割映像の映像信号を受信し、受信した映像信号に基づき分割映像を再配置して元映像を生成する映像受信装置に関する。
【背景技術】
【０００２】
近年、映像信号の高解像度化が進み、フルハイビジョン（１９２０画素×１０８０画素）の４倍の４Ｋ映像（３８４０画素×２１６０画素、４０９６画素×２１６０画素）が実用化され、今後さらには８Ｋ×４Ｋといったより高解像度の映像についても研究が進められている。このような高解像度映像の映像信号を機器間で伝送する場合、伝送帯域の制約から一本の信号線で伝送できない場合、複数の信号線を介して伝送する技術がある（例えば、特許文献１〜３等）。その際、各々の信号線からは、全体の映像を分割した一部の映像を示す映像信号が送出される。
【０００３】
例えば、特許文献１の画像出力装置は、１つの映像を複数の映像に分割し、各分割映像を複数の信号線を介して画像表示装置に送信する。画像表示装置は、受信した複数の分割映像を適切な位置に配置（合成）することにより元の映像を生成して表示する。
【先行技術文献】
【特許文献】
【０００４】
【特許文献１】特開２０１２−１７３４２４号公報
【特許文献２】特開平７−１６２８５２号公報
【特許文献３】特開平２００５−２２３８２１号公報
【発明の概要】
【発明が解決しようとする課題】
【０００５】
以上のように、元の映像を分割して生成された複数の分割映像を受信し、受信した複数の分割映像を合成して元の映像を再現する場合、分割映像の映像信号間で同期信号においてズレがある場合がある。同期信号のズレ量が規定値を超えると、映像受信装置において、分割映像を合成して元の映像を生成することができなくなる場合がある。このため、１つの映像の情報を分割して受信する場合、映像受信装置において、分割映像の同期信号のズレ量を規定値以内に調整する必要があり、そのために、同期信号のズレ量を認識する必要がある。しかしながら、同期信号のズレを認識するためには、回路基板上の波形を測定する必要があり、そのための測定機器が必要であり、また対応に時間を要していた。
【０００６】
本開示は、元の映像を分割して生成された複数の分割映像の情報を異なる伝送路を介して受信し、分割映像を合成して元の映像を再現する装置において、伝送路毎の同期信号のズレ量を容易に把握させることができる映像受信装置を提供する。
【課題を解決するための手段】
【０００７】
本開示の一態様において、元映像を分割して生成した複数の分割映像それぞれに対する映像信号を受信し、受信した複数の映像信号から元映像の映像信号を生成する映像受信装置が提供される。映像受信装置は、複数の分割映像それぞれに対する映像信号を、それぞれの伝送路を介して受信する受信部と、各伝送路に対して、その伝送路を介して受信した映像信号に含まれる同期信号と、他の伝送路を介して受信した映像信号に含まれる同期信号とのズレ量を検出する同期信号検出部と、伝送路毎に、検出した同期信号のズレ量を示す情報を表示するための映像情報を生成する映像処理部と、を備える。
【発明の効果】
【０００８】
本開示の映像受信装置によれば、１つの映像を分割して生成した複数の分割映像を受信した際に、各分割映像の同期信号のズレ量を示す情報が表示される。このため、ユーザーは同期信号のズレ量を視覚的に容易に把握できる。
【図面の簡単な説明】
【０００９】
【図１】本開示の映像表示システムの構成を示す図
【図２】映像受信装置の具体的な構成を示した図
【図３】各種の同期信号を説明した図
【図４】同期信号検出部の具体的な構成を示した図
【図５】チャンネル１とチャンネル２間の水平同期信号ＨＳの差を検出するＨカウンターの動作の例を説明した図
【図６】チャンネル１とチャンネル２間の水平同期信号ＨＳの差を検出するＨカウンターの動作の例を説明した図
【図７】チャンネル１とチャンネル２間の垂直同期信号ＶＳの差を検出するＶカウンターの動作の例を説明した図
【図８】チャンネル１とチャンネル２間の垂直同期信号ＶＳの差を検出するＶカウンターの動作の例を説明した図
【図９】同期信号ＶＳ、ＨＳのズレ量を表示するオンスクリーン表示の例を（テキスト情報）示した図
【図１０】同期信号ＶＳ、ＨＳのズレ量を表示するオンスクリーン表示の例（バー表示）を示した図
【図１１】同期信号ＶＳ、ＨＳのズレ量を表示するオンスクリーン表示の例（映像の表示位置を変更）を示した図
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、添付図面および以下の説明は、当業者が本開示を十分に理解するために提供されるのであって、これらにより特許請求の範囲に記載の主題を限定することは意図されていない。
【００１１】
（実施の形態１）
以下、図１〜図８を用いて、本開示の映像表示システムの実施の形態を説明する。
【００１２】
［１−１．構成］
図１は、４Ｋ映像（例えば、３８４０画素×２１６０画素）をＳｑｕａｒｅ  Ｄｉｖｉｓｉｏｎ形式で送受信する映像表示システムを説明した図である。映像表示システム１０は、映像信号を送信する映像送信装置１００と、映像送信装置１００から受信した映像信号を受信して映像を表示する映像受信装置２００（または映像表示装置）とを備える。
【００１３】
映像送信装置１００は、１つの４Ｋ映像５０を水平方向及び垂直方向それぞれに二分割して生成された４つのフルハイビジョン（例えば、１９２０画素×１０８０画素）の分割映像１〜４に対する映像信号を生成する。映像送信装置１００は、分割映像１〜４それぞれの映像信号を４つのチャンネル１〜４それぞれの信号線を介して映像受信装置２００に送信する。例えば、分割映像１の映像信号はチャンネル１の信号線を介して送信され、分割映像２の映像信号はチャンネル２の信号線を介して送信され、分割映像３の映像信号はチャンネル３の信号線を介して送信され、分割映像４の映像信号はチャンネル４の信号線を介して送信される。映像送信装置１００は映像信号を供給する装置であり、例えばパーソナル・コンピュータやブルーレイ再生装置で構成される。
【００１４】
映像受信装置２００は、映像送信装置１００から受信した分割映像１〜４の映像信号を表示画面上で再配置して表示することにより、元の４Ｋ映像５０の表示を行う。
【００１５】
図２は、映像受信装置２００の具体的な構成を示す図である。映像受信装置２００は、チャンネル１〜４（信号線）を介して映像送信装置１００から送信された映像信号を、内部処理用のデータフォーマットへ変換する受信インタフェース部３００を備える。受信インタフェース部３００は、チャンネル１〜４のそれぞれを介して受信した映像信号を処理する第１受信部３０１〜第４受信部３０４を含む。受信インタフェース部３００は、例えばＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）（登録商標）に準拠してデータ通信を行なう回路であり、専用のＬＳＩで構成される。
【００１６】
さらに、映像受信装置２００は、受信インタフェース部３００から出力された映像データのクロックドメインを変更するためのＦＩＦＯ３１０〜３４０を備える。また、映像受信装置２００は、各受信部３０１〜３０４で受信した分割映像を元の４Ｋ映像に再配置する映像処理部４００と、分割映像が再配置されて生成された４Ｋ映像を表示する表示デバイス５００とを備える。映像処理部４００は専用のＬＳＩで構成される。表示デバイス５００は、液晶表示デバイスや有機ＥＬ表示デバイスで構成されるが、他の種類の表示装置でもよい。
【００１７】
さらに、映像受信装置２００は、受信インタフェース部３００と映像処理部４００の間に、各チャンネル間における映像信号の同期信号のタイミングのズレ量を検出する同期信号検出部６００を備える。同期信号検出部６００はＦＰＧＡ（Ｆｉｅｌｄ  Ｐｒｏｇｒａｍｍａｂｌｅ  Ｇａｔｅ  Ａｒｒａｙ）で構成される。同期信号検出部６００と映像処理部４００は、ＭＰＵ７００を介しデータのやり取りを行う。
【００１８】
さらに、映像受信装置２００は、キースイッチインタフェース（Ｉ／Ｆ）８００と、赤外線インタフェース（Ｉ／Ｆ）９００と、通信インタフェース（Ｉ／Ｆ）１０００と、ＲＡＭ１１００とを備える。キースイッチＩ／Ｆ８００は、映像受信装置２００に設けられた各種スイッチに対するユーザー操作を示す操作信号を入力する。赤外線Ｉ／Ｆ９００は、映像受信装置２００に対するリモコンからの操作信号を受信する。通信Ｉ／Ｆ１０００は、所定の通信規格にしたがい外部機器との映像信号等の通信を行なうインタフェースである。ＲＡＭ１１００は、ＭＰＵ７００の処理に必要な情報を一時的に格納するメモリであり、ＭＰＵ７００のワーキングエリアとして動作する。
【００１９】
なお、受信インタフェース部３００、映像処理部４００、及びＭＰＵ７等の各構成要素は上記の例に限定されない。例えば、同期信号検出部６００を、専用ＩＣ（ハードウェア回路）で構成してもよいし、ＣＰＵおよびソフトウェアで構成しても良い。
【００２０】
［１−２．動作］
［１−２−１．全体動作］
以上のような構成を有する映像表示システム１０の動作を以下に説明する。
【００２１】
まず、映像表示システム１０の全体的な動作について説明する。映像送信装置１００は、元の４Ｋ映像（３８４０画素×２１６０画素）を水平方向、垂直方向それぞれに二分割して生成される４つのフルハイビジョン映像（１９２０画素×１０８０画素）を生成する。そして、映像送信装置１００は、各フルハイビジョン映像の映像信号をシリアル形式の映像データとして信号線（各チャンネル）を介して、映像受信装置２００のチャンネル毎に設けられた入力端子に供給する。映像受信装置２００において、各チャンネルの入力端子に供給された映像データは、それぞれ受信インタフェース部３００に供給される。
【００２２】
映像受信装置２００の受信インタフェース部３００は、入力された映像データを映像受信装置２００内で処理されるフォーマットに変換する。すなわち、第１受信部３０１〜第４受信部３０４は、シリアルデータから映像データをパラレル形式のデータ（映像データ１Ａ〜４Ａ）に変換してデータバスに出力する。
【００２３】
第１受信部３０１〜第４受信部３０４から出力されたデータ（映像データ１Ａ〜４Ａ）は、一旦ＦＩＦＯ３１０〜３４０に記憶されてクロックドメインの変換が行われる。これにより、チャンネル２〜４の映像データのピクセルクロック（ＰＣＬＫ２〜４）が、チャンネル１の映像データのピクセルクロック（ＰＬＣＫ１）に統一される。その後、映像処理部４００において、分割映像１〜４が４Ｋ映像に再配置され、各分割映像に対してさらにリサイズや画質調整等の処理が施された後、表示デバイス５００へ出力される。
【００２４】
受信インタフェース部３００から出力される映像データ１Ａ〜４Ａ（すなわち、映像データ１Ｂ〜４Ｂ）は、ＲＧＢ各１０ビットの映像データと、同期信号ＶＳ、ＨＳ、ＤＥ（Ｄａｔａ  Ｅｎａｂｌｅ）、ＦＬＤ（Ｆｉｅｌｄ）とを含み、ピクセルクロックＰＣＬＫに同期した全３４ｂｉｔ幅のパラレル信号となっている。図３は、各種の同期信号を説明した図である。同期信号ＶＳは垂直同期信号であり、１フレーム期間の開始を規定する。同期信号ＨＳは水平同期信号であり、１ラインの開始を規定する。同期信号ＤＥ（Ｄａｔａ  Ｅｎａｂｌｅ）は有効な映像が含まれる期間を規定する。同期信号ＦＬＤ（図３では省略）は、入力フォーマットがインターレース系の場合にのみ使用し、通常はロー固定とする。同期信号ＶＳ、ＨＳ、ＤＥはいずれもハイアクティブとする。
【００２５】
［１−２−２．同期信号のズレ量の表示］
次に、映像表示システム１０における、チャンネル間の同期信号のズレ量を映像受信装置２００上でオンスクリーン表示する動作について説明する。
【００２６】
映像受信装置２００の同期信号検出部６００は、受信インタフェース部３００から出力された４本の映像信号に対し、チャンネル１の同期信号のタイミングを基準として、チャンネル２〜４の同期信号のズレ量を算出する。図４は、同期信号検出部６００の具体的な構成を示した図である。同期信号検出部６００は、Ｈカウンター６１０、６１２、６１４と、Ｖカウンター６１１，６１３、６１５と、メモリ６２０〜６２５と、ＭＰＵインタフェース６３０とを備える。
【００２７】
Ｈカウンター６１０、６１２、６１４のそれぞれは、チャンネル２〜４それぞれとチャンネル１との間の水平同期信号ＨＳのズレ量を検出するカウンターである。Ｈカウンター６１０、６１２、６１４の出力はそれぞれメモリ６２０、６２２、６２４に記憶される。
【００２８】
Ｖカウンター６１１、６１３、６１５のそれぞれは、チャンネル２〜４それぞれとチャンネル１との間の垂直同期信号ＶＳのズレ量を検出するカウンターである。Ｖカウンター６１１、６１３、６１５の出力はそれぞれメモリ６２１、６２３、６２５に記憶される。
【００２９】
ＭＰＵインタフェース６３０は、各メモリ６２０〜６２５に記憶された値をデータバスに伝送する。割り込み生成回路６４０は、映像処理部４００に対する割り込み信号を生成する。
【００３０】
図５、図６を参照してＨカウンター６１０、６１２、６１４の動作を説明する。図５では、一例として、チャンネル１とチャンネル２間の水平同期信号ＨＳの差を検出するＨカウンター６１０の動作の例を示している。Ｈカウンター６１０は、チャンネル１の水平同期信号ＨＳの立ち上がりエッジから、チャンネル２の水平同期信号ＨＳの立ち上がりエッジまでの間隔を、ピクセルクロックＰＣＬＫの周期でカウントする。これにより水平同期信号ＨＳのズレ量（ΔＨＳ）を検出する。図５の例では、チャンネル１の水平同期信号ＨＳに対する、チャンネル２の水平同期信号ＨＳのズレ量（ΔＨＳ）として「３」がカウントされる。図６は、チャンネル１の水平同期信号ＨＳに対してチャンネル２の水平同期信号ＨＳが進んでいる場合のＨカウンター６１０の動作を説明した図である。図６に示す例の場合、チャンネル１の水平同期信号ＨＳに対するチャンネル２の水平同期信号ＨＳのズレ量（ΔＨＳ）として「−３」がカウントされる。なお、図６の例では、実際のカウント値は「２１９７」であるが、カウント値が所定値を超える場合は、そのチャンネルの同期信号はチャンネル１の同期信号よりも進んでいると判断し、一周期を示すカウント値（本例の場合、２２００）から実際のカウント値を減算してズレ量を求める。
【００３１】
図７、図８を参照してＶカウンター６１１、６１３、６１５の動作を説明する。図７では、一例として、チャンネル１とチャンネル２間の垂直同期信号ＶＳの差を検出するＶカウンター６１１の動作の例を示している。チャンネル１の垂直同期信号ＶＳの立ち上がりエッジから、各チャンネルの垂直同期信号ＶＳの上がりエッジまでの間隔を、チャンネル１の水平同期信号ＨＳの立ち上がりエッジでカウントアップする。これにより垂直同期信号ＶＳのズレ量（ΔＶＳ）を検出する。図７の例では、チャンネル１の垂直同期信号ＶＳに対する、チャンネル２の垂直同期信号ＶＳのズレ量（ΔＶＳ）として「３」がカウントされる。図８は、チャンネル１の垂直同期信号ＶＳに対してチャンネル２の垂直同期信号ＶＳが進んでいる場合のＶカウンター６１１の動作を説明した図である。図８に示す例の場合、チャンネル１の垂直同期信号ＶＳに対するチャンネル２の垂直同期信号ＶＳのズレ量（ΔＶＳ）として「−３」がカウントされる。図８の例では、実際のカウント値は「１０９７」であるが、カウント値が所定値を超える場合は、そのチャンネルの同期信号はチャンネル１の同期信号よりも進んでいると判断し、一周期を示すカウント値（本例の場合、１１００）から実際のカウント値を減算してズレ量（ΔＶＳ）を求める。
【００３２】
以上のようにして、垂直同期信号ＶＳ及び水平同期信号ＨＳのズレ量をそれぞれラインオーダー、ピクセルオーダーでカウントする。
【００３３】
Ｈカウンター６１０、６１２、６１４及びＶカウンター６１１、６１３、６１５で算出されたカウント値はメモリ６２０〜６２５に一旦格納される。ＭＰＵ７００は同期信号検出部７００（割り込み生成回路６４０）より送信された割り込み信号のタイミングで、ＭＰＵインタフェース６３０を介し、メモリ６２０〜６２５内に保存されたデータをＲＡＭ１１００に転送する。
【００３４】
ＭＰＵ７００はＲＡＭ１１００に保存したカウント値を、同期信号検出部６００からの割り込み信号のタイミングで映像処理部４００に転送する。映像処理部４００は、ＲＡＭ１１００から受け取った各チャンネルに対するカウント値を参照して、チャンネル間の同期信号のズレ量を示す情報を映像に重畳して、表示デバイス５００上にオンスクリーン表示を行う。
【００３５】
図９は、チャンネル１に対するチャンネル２〜４の同期信号ＨＳ、ＶＳそれぞれのズレ量（数値）をテキスト情報で表示したオンスクリーン表示の例を示した図である。チャンネル２〜４それぞれの分割映像が表示される領域において、各チャンネルについて同期信号ＨＳ、ＶＳのズレ量が数値５１０で表示されている。ここで、水平同期信号ＨＳについてはドット単位で、垂直同期信号ＶＳについてはライン単位でズレ量が表示されている。このような表示５１０により、ユーザーは、チャンネル１に対する各チャンネルの同期信号のズレ量を視覚的に容易に把握することができる。
【００３６】
なお、ＭＰＵ７００は同期信号検出部６００から読み込んだ同期信号のズレ量が、映像処理部４００や表示デバイス５００のスペック（規定値）を超えていないか判定してもよい。そして、ズレ量がスペック（規定値）を超えている場合、ＭＰＵ７００は、超えていることを示す情報を表示し、ユーザーへ機器接続の再確認を促してもよい。例えば、ズレ量がスペック（規定値）を超えている場合、図９に示すオンスクリーン表示において数値５１０を赤字で表示してもよい。
【００３７】
図１０〜図１１に、チャンネル間の同期信号のズレ量を示すオンスクリーン表示の別の例を示す。
【００３８】
図１０は、チャンネル１に対するチャンネル２〜４の同期信号ＨＳ、ＶＳのズレ量をバー形式で表示したオンスクリーン表示の例を示した図である。チャンネル１の同期信号とのズレ量がないときの長さを基準とし、他のチャンネル２〜４の同期信号のズレ量に応じてバー画像５２０の長さを変化させる。例えば、チャンネル２〜４の同期信号がチャンネル１の同期信号よりも遅れている場合、バー画像５２０の長さを遅れに応じて長くする。一方、チャンネル２〜４の同期信号がチャンネル１の同期信号よりも進んでいる場合、バー画像５２０の長さを遅れに応じて短くする。これにより、図９に示す場合よりも、同期信号のズレの程度をより直観的に把握することができる。なお、バー画像の長さの変化のさせ方は図９に示した例と逆でも良い。
【００３９】
図１１は、オンスクリーン表示のさらに別の表示例を示した図である。図１１の例では、チャンネル２〜４を介して受信した分割映像が表示される領域において所定の画像５３０を、チャンネル１の同期信号とのズレ量がないときの位置を基準とし、同期信号ＨＳのズレ量に応じて水平方向にシフトさせ、かつ、同期信号ＶＳのズレ量に応じて垂直方向にシフトさせて表示する。水平方向及び垂直方向における画像５３０の表示位置のシフト量は、同期信号ＨＳ、ＶＳのズレ量に応じて決定する。このような表示によっても、ユーザーは同期信号のズレ量をより直感的に容易に把握することが可能となる。
【００４０】
［１−３．効果］
以上のように、本実施の形態の映像受信装置２００は、元映像を分割して生成した複数の分割映像それぞれに対する映像信号を受信し、受信した複数の映像信号から前記元映像の映像信号を生成する装置である。映像受信装置２００は、複数の分割映像それぞれに対する映像信号を、それぞれのチャンネル（伝送路の一例）を介して受信する受信部３０１〜３０４と、各チャンネルに対して、そのチャンネルを介して受信した映像信号に含まれる同期信号（ＨＳ、ＶＳ）と、他のチャンネルを介して受信した映像信号に含まれる同期信号とのズレ量を検出する同期信号検出部６００と、チャンネル毎に、検出した同期信号のズレ量を示す情報を表示するための映像情報を生成する映像処理部４００と、を備える。
【００４１】
以上の構成を有する映像受信装置２００によれば、チャンネル毎の同期信号のズレ量が表示デバイス５００上に表示される。このため、ユーザーは、視覚的に同期信号のズレ量を認識でき、同期信号のズレ量を容易に把握することができる。
【００４２】
すなわち、４Ｋ映像をＳｑｕａｒｅ  Ｄｉｖｉｓｉｏｎ（田の字型分割）で受信する受信機の場合、映像の同期信号の最大ズレ量が規定されている場合が多い。映像送信装置の特性やユーザーのシステム構成によっては同期信号が受信機側の規定値をオーバーし、４Ｋ映像への合成が正しく行えない場合がある。従来、同期信号のズレを認識するためには回路基板上の波形を測定する必要があり、対応に時間を要していた。これに対して、上記の実施の形態の映像受信装置２００によれば、チャンネル毎の同期信号のズレ量が表示デバイス５００上に表示される。このため、ユーザーは、視覚的に同期信号のズレ量を認識でき、同期信号のズレ量を容易に把握することができる。
【００４３】
また、映像受信装置２００のユーザーメニューとして上記の機能を設定すれば、ユーザーは容易にかつ正確に同期信号のズレ量を認識できるため、サービスサポートセンターにおいてユーザーから正確な情報を取得できる。このため、サービスサポートセンターおいて、ユーザーからの映像受信装置の不具合の問い合わせの際に、サービスサポートセンターにおいて遠隔対応が可能になる。
【００４４】
以上のように、本出願において開示する技術の例示として、実施の形態を説明した。しかしながら、本開示における技術は、これに限定されず、変更、置き換え、付加、省略などを行った実施の形態にも適用できる。また、上記実施の形態で説明した各構成要素を組み合わせて、新たな実施の形態とすることも可能である。
【００４５】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。そこで、以下、他の実施の形態を例示する。
【００４６】
上記の実施の形態では、元の映像の解像度を４Ｋとしたが、映像の解像度はこれに限定されず、映像の解像度は例えば８Ｋであってもよい。本開示の思想は、映像の解像度に依存せず、複数の分割映像の情報を受信し、受信した複数の分割映像を配置して元の映像を再現する装置に対して適用できる。
【産業上の利用可能性】
【００４７】
本開示は、４Ｋ映像信号を分割して処理する信号送受信装置、及びそれを使用した映像表示装置に適用可能である。
【符号の説明】
【００４８】
１０  映像表示システム
１００  映像送信装置
２００  映像受信装置
３００  受信インタフェース部
３０１〜３０４  受信部
３１０〜３４０  ＦＩＦＯ
４００  映像処理部
５００  表示デバイス
６００  同期信号検出部
６１０、６１２、６１４  Ｈカウンター
６１１、６１３、６１５  Ｈカウンター
７００  ＭＰＵ
８００  キースイッチインタフェース
９００  赤外線インタフェース
１０００  通信インタフェース
１１００  ＲＡＭ
【図１】
2018019284.tif 000003
【図２】
2018019284.tif 000004
【図３】
2018019284.tif 000005
【図４】
2018019284.tif 000006
【図５】
2018019284.tif 000007
【図６】
2018019284.tif 000008
【図７】
2018019284.tif 000009
【図８】
2018019284.tif 000010
【図９】
2018019284.tif 000011
【図１０】
2018019284.tif 000012
【図１１】
2018019284.tif 000013